(57)【要約】【課題】無駄な印刷を抑制しつつ、ユーザーにとって酷になりすぎないようにシート枚数を管理可能な画像形成装置を提供すること。【解決手段】実行中のコピージョブごとに、そのジョブが中断され、中断されたジョブがユーザーにより復帰可能であるのにも関わらず、そのユーザーにより破棄された場合には（Ｓ２３１で「ＹＥＳ」、Ｓ２３２で「ＹＥＳ」）、中断により廃棄されるコピー用紙が増える蓋然性が高いとして、その中断までに実行されたコピー枚数を累積カウントしてなる累積中断コピー枚数を更新する処理を行う（ステップＳ２３３）。逆に、ユーザーが復帰させることができない場合には（Ｓ２３２で「ＮＯ」）、ユーザー側に原因がなく、ジョブの破棄も仕方がないとして、当該処理を実行しない。【選択図】図２３
2013092566.tif 000002
【特許請求の範囲】
【請求項１】
シートに画像をプリントするジョブを実行する画像形成装置であって、
実行中のジョブを中断する停止手段と、
中断したジョブの破棄の指示をユーザーから受け付ける受付手段と、
破棄の指示が受け付けられると、当該中断したジョブを破棄する破棄手段と、
破棄されたジョブの中断原因を判断する判断手段と、
ジョブの破棄ごとに、前記判断された中断原因に基づいて当該破棄ジョブの中断までに実行されたプリント枚数の指標値をそれまでの累積値に累積して更新するか否かを決め、更新を決めた場合にだけ累積値を更新する更新手段と、
前記累積値を示す情報を出力する出力手段と、
を備えることを特徴とする画像形成装置。
【請求項２】
前記中断原因には、
中断後、画像形成装置を使用するユーザーが中断原因を解消して当該ジョブを再開することが可能な第１原因と、当該ユーザーでは中断原因を解消できない第２原因が含まれ、
前記更新手段は、
第１原因の場合には更新することを決め、第２原因の場合には更新しないことを決めることを特徴とする請求項１に記載の画像形成装置。
【請求項３】
前記停止手段は、
ユーザーからの中断の指示により、前記中断を行い、
前記中断原因には、
前記破棄されたジョブがユーザーの指示により中断するまでにプリントされたシートの枚数をＰ、当該破棄されたジョブが中断せずに最後まで実行されたと仮定した場合のシート枚数をＰ１、当該破棄されたジョブの次のジョブが中断せずに最後まで実行されたと仮定した場合のシート枚数をＰ２としたとき、枚数Ｐが枚数（Ｐ１−Ｐ２）以上となる条件で中断された場合の第１原因と、枚数Ｐが枚数（Ｐ１−Ｐ２）よりも小さくなる条件で中断された場合の第２原因が含まれ、
前記更新手段は、
第１原因の場合には更新することを決め、第２原因の場合には更新しないことを決めることを特徴とする請求項１に記載の画像形成装置。
【請求項４】
前記破棄されたジョブと次のジョブとは、
一方が１枚の用紙の片面に１ページ分の画像を形成するジョブ、他方が１枚の用紙の片面にＮ（２以上の整数）ページ分の画像を形成するＮ―ｉｎ―１によるジョブである、または、一方が１枚の用紙の片面に画像を形成するジョブ、他方が１枚の用紙の両面に画像を形成するジョブであることを特徴とする請求項３に記載の画像形成装置。
【請求項５】
ジョブの実行を要求したユーザーを識別する識別手段を備え、
前記受付手段は、
ユーザーごとに破棄処理の実行を受け付け、
前記更新手段は、
ユーザーごとにそのユーザーに対する累積値を記憶しており、ユーザーごとにその累積値を更新するか否かを決めて、当該累積値の更新を行うことを特徴とする請求項１〜４のいずれか１項に記載の画像形成装置。
【請求項６】
前記指標値は、
破棄されたジョブによりプリントされた枚数を示す値、破棄されたジョブの数を示す値または破棄されたジョブにより実行されたプリント回数を示す値であることを特徴とする請求項１〜５のいずれか１項に記載の画像形成装置。
【請求項７】
前記出力手段は、
前記累積値を示す情報を表示する手段、当該情報を音声出力する手段、当該情報を自装置にネットワークを介して接続されている端末装置に送信する手段の少なくとも１つであることを特徴とする請求項１〜６のいずれか１項に記載の画像形成装置。
【請求項８】
前記出力手段は、
前記累積値が所定値以上の場合にだけ前記出力を実行することを特徴とする請求項１〜７のいずれか１項に記載の画像形成装置。
【発明の詳細な説明】
【技術分野】
【０００１】
本発明は、実行中のジョブを中断して破棄する画像形成装置に関する。
【背景技術】
【０００２】
従来、複写機などの画像形成装置では、ユーザーの指示により、実行中のコピーなどのジョブを中断して、中断したジョブを破棄する機能を有するものがある。
例えば、ユーザーが本来、１枚の用紙の片面に２ページ分を縮小コピーする２−ｉｎ−１機能によるジョブを実行すべきところ、うっかり１枚の用紙の片面に１ページ分をコピーする通常のジョブの実行を指示してしまい、その誤りに気付いて、本来の２−ｉｎ−１機能による新たなジョブをやり直すために、実行中の通常のジョブを中断させて破棄する操作を行う場合などに用いられる。
【０００３】
誤った指示で実行されたジョブによるコピー用紙が出力され続けるのを防止することができる。
【先行技術文献】
【特許文献】
【０００４】
【特許文献１】特開２０１０−６８２号公報
【発明の概要】
【発明が解決しようとする課題】
【０００５】
上記のようにユーザーが誤った指示によるジョブを中断させることができれば、そのユーザーにとっては便利であるが、コピー等の印刷（プリント）のジョブを中断して破棄する場合、無駄な印刷物ができてしまうという問題がある。
具体的には、例えば通常のジョブが１０枚の用紙に対する印刷を行うジョブであった場合に、その中断時点で既に６枚の用紙への印刷が終了していれば、その６枚の用紙は、本来の２−ｉｎ−１の出力形態と異なることから使用されず、使い道がなければ廃棄されることもあり、無駄になってしまう。
【０００６】
このような無駄な印刷物をできるだけ出さないようにするためには、例えばユーザーごとに、ジョブの破棄により中断された印刷済みの用紙の枚数や印刷回数などを管理して、その破棄の枚数や回数が多いユーザーに対して無駄な印刷を減らすように注意を促す方法が考えられる。
しかしながら、一律に、ジョブの破棄により中断された印刷済みの用紙の枚数や印刷回数などを管理する方法をとると、ユーザーにとって酷になる場合が生じる。
【０００７】
すなわち、ジョブの破棄には、上記のようにユーザーが自らの意思で実行中のジョブを中断させて破棄する操作を行う場合だけでなく、例えばジョブ実行中に装置内の部品が寿命に達したために中断し、その部品が交換されるまでジョブを再開できない状況で、急ぐユーザーが仕方なくジョブを破棄する操作を行う場合もあり得る。
この場合のジョブ中断の原因は、ユーザー側ではなくプリンター側にあり、このような場合の用紙の枚数まで管理するのは、そのユーザーにとって酷になる。
【０００８】
上記の問題は、ユーザーごとに用紙の枚数や印刷回数等を管理する場合に限られず、例えば各ユーザーが所属する部門別で管理したり、ユーザーを区別せずに１つの装置単位で管理したりするような場合にも同様に生じ得る。
本発明は、上記の問題点に鑑みてなされたものであって、無駄なプリントを抑制しつつ、ユーザーや各部門などにとって酷になりすぎないようにシート枚数やプリント回数などを管理することが可能な画像形成装置を提供することを目的としている。
【課題を解決するための手段】
【０００９】
上記目的を達成するため、本発明に係る画像形成装置は、シートに画像をプリントするジョブを実行する画像形成装置であって、実行中のジョブを中断する停止手段と、中断したジョブの破棄の指示をユーザーから受け付ける受付手段と、破棄の指示が受け付けられると、当該中断したジョブを破棄する破棄手段と、破棄されたジョブの中断原因を判断する判断手段と、ジョブの破棄ごとに、前記判断された中断原因に基づいて当該破棄ジョブの中断までに実行されたプリント枚数の指標値をそれまでの累積値に累積して更新するか否かを決め、更新を決めた場合にだけ累積値を更新する更新手段と、前記累積値を示す情報を出力する出力手段と、を備えることを特徴とする。
【００１０】
また、前記中断原因には、中断後、画像形成装置を使用するユーザーが中断原因を解消して当該ジョブを再開することが可能な第１原因と、当該ユーザーでは中断原因を解消できない第２原因が含まれ、前記更新手段は、第１原因の場合には更新することを決め、第２原因の場合には更新しないことを決めることを特徴とする。
さらに、前記停止手段は、ユーザーからの中断の指示により、前記中断を行い、前記中断原因には、前記破棄されたジョブがユーザーの指示により中断するまでにプリントされたシートの枚数をＰ、当該破棄されたジョブが中断せずに最後まで実行されたと仮定した場合のシート枚数をＰ１、当該破棄されたジョブの次のジョブが中断せずに最後まで実行されたと仮定した場合のシート枚数をＰ２としたとき、枚数Ｐが枚数（Ｐ１−Ｐ２）以上となる条件で中断された場合の第１原因と、枚数Ｐが枚数（Ｐ１−Ｐ２）よりも小さくなる条件で中断された場合の第２原因が含まれ、前記更新手段は、第１原因の場合には更新することを決め、第２原因の場合には更新しないことを決めることを特徴とする。
【００１１】
ここで、前記破棄されたジョブと次のジョブとは、一方が１枚の用紙の片面に１ページ分の画像を形成するジョブ、他方が１枚の用紙の片面にＮ（２以上の整数）ページ分の画像を形成するＮ―ｉｎ―１によるジョブである、または、一方が１枚の用紙の片面に画像を形成するジョブ、他方が１枚の用紙の両面に画像を形成するジョブであることを特徴とする。
【００１２】
また、ジョブの実行を要求したユーザーを識別する識別手段を備え、前記受付手段は、ユーザーごとに破棄処理の実行を受け付け、前記更新手段は、ユーザーごとにそのユーザーに対する累積値を記憶しており、ユーザーごとにその累積値を更新するか否かを決めて、当該累積値の更新を行うことを特徴とする。
さらに、前記指標値は、破棄されたジョブによりプリントされた枚数を示す値、破棄されたジョブの数を示す値または破棄されたジョブにより実行されたプリント回数を示す値であることを特徴とする。
【００１３】
また、前記出力手段は、前記累積値を示す情報を表示する手段、当該情報を音声出力する手段、当該情報を自装置にネットワークを介して接続されている端末装置に送信する手段の少なくとも１つであることを特徴とする。
さらに、前記出力手段は、前記累積値が所定値以上の場合にだけ前記出力を実行することを特徴とする。
【発明の効果】
【００１４】
このように、ジョブの中断原因に基づいて、実行されたプリント枚数の指標値をそれまでの累積値に累積して更新するか否かを決めることにより、ユーザー側に中断原因がないような場合には、更新をしないことを決めることができ、一律に更新する方法に比べて、ユーザーなどに酷になりすぎることなく、中断されたプリント済みのシート枚数やプリント回数などを管理することができるようになる。
【図面の簡単な説明】
【００１５】
【図１】ＭＦＰの構成を示す図である。
【図２】ＭＦＰに設けられている操作部の構成を示す平面図である。
【図３】ＭＦＰに設けられている制御部の構成を示すブロック図である。
【図４】制御部に設けられているジョブ管理テーブルの構成例を示す図である。
【図５】制御部に設けられている累積カウント部の構成例を示す図である。
【図６】累積カウント部に設けられている累積カウンターに保持されている累積中断コピー枚数の例を示す図である。
【図７】電源がオンされた後にコピージョブが実行される場合の処理内容を示すフローチャートである。
【図８】停止条件の有無設定のサブルーチンの内容を示すフローチャートである。
【図９】停止中画面の表示例を示す図である。
【図１０】コピーモードの設定処理のサブルーチンの内容を示すフローチャートである。
【図１１】警告表示画面の表示例を示す図である。
【図１２】コピー動作のサブルーチンの内容を示すフローチャートである。
【図１３】エラー判断処理のサブルーチンの内容を示すフローチャートである。
【図１４】ＩＵ寿命判断処理のサブルーチンの内容を示すフローチャートである。
【図１５】ストップキー停止判断処理のサブルーチンの内容を示すフローチャートである。
【図１６】停止中処理のサブルーチンの内容を示すフローチャートである。
【図１７】ＩＵ寿命到達停止中処理のサブルーチンの内容を示すフローチャートである。
【図１８】ジョブ破棄フラグセット処理のサブルーチンの内容を示すフローチャートである。
【図１９】ジャム停止中処理のサブルーチンの内容を示すフローチャートである。
【図２０】トラブル停止中処理のサブルーチンの内容を示すフローチャートである。
【図２１】エンプティ停止中処理のサブルーチンの内容を示すフローチャートである。
【図２２】ストップキー停止中処理のサブルーチンの内容を示すフローチャートである。
【図２３】ジョブ破棄判断処理のサブルーチンの内容を示すフローチャートである。
【図２４】累積中断コピー枚数更新処理のサブルーチンの内容を示すフローチャートである。
【図２５】モード切替判断処理のサブルーチンの内容を示すフローチャートである。
【発明を実施するための形態】
【００１６】
以下、本発明に係る画像形成装置の実施の形態を、タンデム型カラー複合機（以下、「ＭＦＰ（Multiple Function Peripheral）」という。）を例にして説明する。
（１）全体構成
図１は、ＭＦＰ１の構成を示す図である。
同図に示すように、ＭＦＰ１は、画像読取部２、画像形成部３、給紙部４などにより構成されており、原稿を読み取って画像データを生成するスキャン機能、原稿を読み取ってカラーまたはモノクロで印刷するコピー機能、読み取って得られた画像データを外部の端末装置（不図示）にネットワークを介して送信する機能などの複数の機能を１台に集約した複合機である。
【００１７】
画像読取部２は、ユーザーによって原稿トレイに置かれた複数枚の原稿を順次自動的に搬送し、その搬送される原稿を読取位置で読み取って画像データを生成する。
画像形成部３は、生成された画像データに基づいて、記録用のシートとしての用紙Ｓ上に画像を形成（印刷）するものであり、イエロー（Ｙ）、マゼンタ（Ｍ）、シアン（Ｃ）及びブラック（Ｋ）の各色のトナー像を形成するイメージングユニット（以下、「ＩＵ」という。）１１Ｙ〜１１Ｋと、中間転写ベルト１２と、定着部１３などを備えている。
【００１８】
ＩＵ１１Ｙは、矢印Ａで示す方向に回転する感光体ドラム２１の周囲に、その回転方向に沿って帯電部２２、露光部２３、現像部２４などを配設した構成となっている。
帯電部２２は、感光体ドラム２１の表面を一様に帯電させる。
露光部２３は、画像データに基づいて駆動された発光素子から出射されるレーザー光により、帯電された状態の感光体ドラム２１の表面を露光走査する。これにより、感光体ドラム２１の表面に、画像データに基づく静電潜像が形成される。
【００１９】
現像部２４は、現像剤が収容されており、その現像剤を用いて感光体ドラム２１の静電潜像を顕像化する（現像）。ここでは、現像剤としてトナーが用いられ、現像により、感光体ドラム２１上にＹ色のトナー像が形成される。
現像により感光体ドラム２１の表面に形成されたＹ色のトナー像は、感光体ドラム２１と中間転写ベルト１２を介して対向する一次転写ローラー２５により、矢印Ｂで示す方向に沿って周回する中間転写ベルト１２上に一次転写される。なお、一次転写されずに感光体ドラム２１上に残った残留トナーは、クリーニング部により清掃される。
【００２０】
カラーコピージョブの場合、ＩＵ１１ＹによるＹ色の作像動作と同じ動作が、他のＩＵ１１Ｍ〜ＩＵ１１Ｋにおいても実行される。すなわち、ＩＵ１１Ｍ〜ＩＵ１１Ｋごとに、その感光体ドラム２１表面に、対応する色のトナー像が形成され、その形成されたトナー像が中間転写ベルト１２上に一次転写される。なお、ＩＵ１１Ｙ〜１１Ｋの各色の作像動作は、中間転写ベルト１２上の同じ位置に各色のトナー像が重ねられるように、タイミングをずらして実行される。
【００２１】
中間転写ベルト１２上に一次転写された各色のトナー像は、中間転写ベルト１２により二次転写ローラー１５の位置する方向に搬送される。
給紙部４は、用紙Ｓを収容する複数の給紙トレイ３１を備えており、給紙トレイ３１に収容されている用紙Ｓを１枚ずつピックアップローラーにより繰り出して、搬送路３２に給送する。複数の給紙トレイ３１のうち、どの給紙トレイ３１から用紙Ｓを給送するかは、制御部１４により指定される。
【００２２】
コピージョブの実行中には、ＩＵ１１Ｙ〜１１Ｋの作像動作に合わせて給紙部４から用紙Ｓが給送され、中間転写ベルト１２上の各色トナー像は、二次転写位置３３で二次転写ローラー１５により、搬送路３２を搬送されている用紙Ｓ上に一括して二次転写される。
二次転写位置３３を通過した用紙Ｓは、定着部１３に搬送される。
定着部１３は、外部の商用電源（不図示）からの電力供給により発熱するヒーター１６を有し、ヒーター１６に熱せられた定着ローラーと加圧ローラーにより形成される定着ニップを用紙Ｓが通過する際に、用紙Ｓ上の各色トナー像を加熱、加圧して定着させる。
【００２３】
定着部１３を通過した用紙Ｓは、排出ローラー対１８により機外に排出され、排出トレイ１９に収容される。これにより、１枚の用紙Ｓへの画像形成（印刷）が終了する。複数枚の用紙Ｓに印刷を行う場合には、上記の動作が用紙１枚ごとに繰り返し実行される。
上記では、カラーコピージョブの場合の動作を説明したが、モノクロコピージョブの場合には、ＩＵ１１Ｋだけが駆動され、ブラック（Ｋ）色の画像が用紙に印刷される。
【００２４】
画像読取部２の装置正面側であり、ユーザーが操作し易い位置には、操作部５が設けられている。
（２）操作部５の構成
図２は、操作部５の構成を示す平面図である。
同図に示すように操作部５は、テンキー５１と、スタートキー５２と、ストップキー５３と、リセットキー５４および表示入力部５５を備える。
【００２５】
テンキー５１は、コピー枚数などの入力に用いられ、スタートキー５２は、コピージョブなどの開始の指示に用いられ、ストップキー５３は、実行中のジョブを中断して停止させる場合の指示に用いられる。リセットキー５４は、現に設定されているコピー枚数やコピーモードなど初期状態に戻すために用いられる。
表示入力部５５は、タッチパネル式の液晶表示部５６からなり、ユーザー認証のためのユーザーＩＤやパスワードなどの入力受付画面、コピー濃度や給紙トレイの選択などの選択入力受付画面、カラーやモノクロコピーなどの各種動作モードの設定入力画面、ジャムやトラブル（故障）などのエラー発生を示す画面、解除方法を示す画面、ジョブ破棄枚数が多いことを示す警告表示を示す画面などが表示され、ユーザーからの入力を受け付けると共に、各種情報をメッセージや絵表示などで表示出力して、ユーザーに通知する。ユーザーは、液晶表示部５６を目視することにより、装置の状態を把握することができる。
【００２６】
図１に戻って、ＩＵ１１Ｙ〜１１Ｋの上方には、ホッパ２６Ｙ，２６Ｍ，２６Ｃ，２６Ｋが設けられている。
ホッパ２６Ｙ〜２６Ｋは、対応するＩＵの現像部２４に補充用のトナーを補給するためのものであり、印刷に連れて現像部２４に収容されている現像剤中のトナーが規定値よりも少なくなると、画像形成部３に設けられている制御部１４の指示により、必要な量のトナーを補給する動作を行う。
【００２７】
ホッパ２６Ｙ〜２６Ｋの上方には、対応する色の補充用のトナーを収容するトナーボトル２７Ｙ，２７Ｍ，２７Ｃ，２７Ｋが装置本体に対してユーザーにより着脱自在に装着されている。トナーボトル２７Ｙ〜２７Ｋ内の補充用のトナーがホッパ２６Ｙ〜２６Ｋを介して対応するＩＵの現像部２４に供給される。
ＩＵ１１Ｙ〜１１Ｋは、それぞれに所定の寿命が予め設定されており、寿命に到達するとサービスマンにより新たなＩＵに交換可能なように、ＭＦＰ１の本体に対して着脱自在に装着されている。
【００２８】
ＩＵの寿命は、ここではコピー動作の累積駆動時間により制御部１４により管理され、累積駆動時間が所定値に至ると寿命に達したとして、新たなＩＵに交換する旨が操作部５に表示され、新たなＩＵに交換されるまでコピージョブの実行が禁止される。
本実施の形態では、それぞれのＩＵに新旧を示すフラグを格納する記憶部（不図示）が設けられ、新品のときには、そのフラグが新品を示す情報になっており、寿命に達すると、制御部１４により、寿命（旧品）を示す情報に書き換えられるようになっている。
【００２９】
ＩＵが交換されると、ＩＵ交換検出部６Ｙ，６Ｍ，６Ｃ，６ＫによりそのＩＵの記憶部に格納されているフラグの情報が読み出され、読み出された情報によって、ＩＵが新品に交換されたか否かが検出される。
また、トナーボトル２７Ｙ〜２７Ｋの近傍には、トナーボトル内のトナーがなくなったことを検出するためのトナーエンプティセンサー７Ｙ，７Ｍ，７Ｃ，７Ｋが設けられている。本実施の形態では、トナーエンプティセンサー７Ｙ〜７Ｋにより、ジョブ実行中にトナーボトル内のトナーがなくなったことが検出されると、制御部１４により、そのジョブが中断、停止されると共に、新たなトナーボトルに交換する旨が操作部５に表示され、新たなトナーボトルに交換されるまで、中断したジョブを再開できないようになっている。
【００３０】
トナーボトルが新たなものに交換されたことの検出は、トナーボトル交換検出部８Ｙ，８Ｍ，８Ｃ，８Ｋにより行われる。トナーボトル交換検出部８Ｙ〜８Ｋによる交換の検出方法は、本実施の形態では上記のＩＵの交換の検出方法と同じであり、トナーボトルに新旧を示すフラグが格納される記憶部が設けられることにより行われる。なお、新旧の検出を行える方法であれば、他の方法を用いるとしても良く、このことは、ＩＵの新旧の検出についても同様である。
【００３１】
また、搬送路３２を搬送される用紙Ｓの紙詰まり（ジャム）を検出するためのジャム検出センサーＳＥ１，ＳＥ２，ＳＥ３が搬送路３２に沿って配置されており、ジャム検出センサーＳＥ１，ＳＥ２，ＳＥ３は、それぞれが搬送中の用紙Ｓを検出すると、その検出信号を制御部１４に送る。制御部１４は、ジャム検出センサーＳＥ１，ＳＥ２，ＳＥ３からの用紙Ｓの検出信号を受信して、用紙Ｓのジャムを検出する。
【００３２】
例えば、１枚の用紙Ｓの給紙から所定時間が経過するまでの間にジャム検出センサーＳＥ１からの検出信号を受信しなければ、給紙トレイ３１からジャム検出センサーＳＥ１の検出位置までの搬送路で用紙Ｓがジャムにより停止していることを検出する。
同様に、ジャム検出センサーＳＥ１からの検出信号を受信してから所定時間が経過するまでの間に、ジャム検出センサーＳＥ２からの検出信号を受信しなければ、ジャム検出センサーＳＥ１の検出位置からジャム検出センサーＳＥ２の検出位置までの搬送路でその用紙Ｓがジャムにより停止していることを検出する。ジャム検出センサーＳＥ２とＳＥ３間についても同様である。また、１つのジャム検出センサーからの検出信号が所定時間以上出力され続けている場合にそのセンサーの検出位置で用紙Ｓがジャムにより停止していることを検出することもできる。ジャムが検出されると、制御部１４により実行中のジョブが中断、停止される。
【００３３】
発生したジャムの解除は、ユーザーによる解除操作、例えば外装カバーを開けて、詰まっている用紙を取り除くことによりジャム検出センサーによるジャム検出が解除された後、外装カバーを閉じるといった操作により行われる。
さらに、定着部１３の近傍には、ヒーター１６の断線を検出するための定着ヒーター断線検出センサー１７が設けられている。定着ヒーター断線検出センサー１７は、外部の商用電源とヒーター１６とを繋ぐ回路（不図示）を流れる電流をモニターして、ヒーター１６の断線により電流がゼロになったことを検出すると、その検出信号を制御部１４に送る。制御部１４は、定着ヒーター断線検出センサー１７からの検出信号を受信して、ヒーター１６の断線を検出する。ヒーター１６の断線が検出されると、トラブル発生として、制御部１４によりジョブ実行中であれば、そのジョブが中断、停止される。
【００３４】
（３）制御部１４の構成
図３は、制御部１４の構成を示すブロック図である。
同図に示すように、制御部１４は、ＣＰＵ１０１と、ＲＯＭ１０２と、ＲＡＭ１０３と、画面表示制御部１０４と、ユーザー認証部１０５と、ジョブ管理テーブル１０６と、ジャム発生間隔算出部１０７と、ＩＵ動作カウンター１０８と、累積カウント部１０９などを備え、各部はデータや情報などを相互にやりとりすることができるようになっている。
【００３５】
画面表示制御部１０４は、操作部５の表示入力部５５に各種表示画面を表示させると共に、その表示画面においてユーザーからのタッチパネルの入力を受け付ける。
ユーザー認証部１０５は、ＭＦＰ１を利用するユーザーを認証するものである。本実施の形態では、表示入力部５５に表示されるユーザー認証用画面（不図示）からユーザーが自己のＩＤ（識別番号）とパスワードを入力することができるようになっており、入力されたＩＤとパスワードが、ユーザーごとに予め登録されたＩＤとパスワードに一致すると認証が成功、不一致であれば認証が失敗と判断するようになっている。
【００３６】
ＣＰＵ１０１は、認証が成功されるとそのユーザーに対してコピー等のジョブの実行を許可するが、失敗の場合には一切のジョブの実行を禁止する制御を行う。
ジョブ管理テーブル１０６は、受け付けたジョブをジョブ単位で管理するための管理情報を示すテーブルであり、図４に示すように管理情報としてジョブ番号、原稿サイズ、用紙サイズ、設定枚数、モード、結果、中断までのコピー枚数を示す欄が設けられている。
【００３７】
ジョブ番号は、受け付けた順に付与されるジョブの管理番号を示し、原稿サイズは、コピーやスキャンジョブにおける読取対象の原稿のサイズを示し、用紙サイズは、コピージョブにおいて使用される用紙のサイズを示し、設定枚数は、コピージョブにおいてユーザーが指定したコピー枚数を示している。
モードは、カラーコピーとモノクロコピーの区別、２−ｉｎ−１の設定などを含むジョブのモードを示し、結果は、ジョブの結果であり、ジョブが通常に終了した場合（中断後、再開して終了した場合も含む。）を良好、中断している場合を中断中、中断して破棄された場合を破棄として示している。
【００３８】
中断までのコピー枚数は、コピージョブが中断して破棄された場合の当該中断までに実行されたコピー枚数を示している。
新たなジョブが発行されるごとに、そのジョブに対する管理情報がＣＰＵ１０１によりジョブ管理テーブル１０６に書き込まれ、書き込まれた順に未処理のジョブが実行されるようになっている。
【００３９】
図３に戻って、ジャム発生間隔算出部１０７は、ジャムが発生したときに前回のジャム発生から今回のジャム発生までのコピー枚数を算出する。この算出は、前回のジャムが解除されてからのコピー枚数を累積管理することにより行われる。
また、ジャムが頻繁に発生する状態にある場合にこのことを判断するために、前々回（２回前）のジャム発生から前回（１回前）のジャム発生までのコピー枚数、３回前のジャム発生から２回前のジャム発生までのコピー枚数といった、過去のジャム発生間隔を記憶しており、過去のジャム発生間隔と今回のジャム発生間隔とを平均したジャム発生間隔（平均値）も算出する。
【００４０】
例えば、ジャム発生間隔（平均値）が極めて小さい値、具体的には５枚程度などの場合、発生したジャムを解除しても直ぐに新たなジャムが発生するという故障に近い状態であることが判る。このようなジャムの頻発は、例えば用紙を給紙トレイ３１から繰り出すためのピックアップローラの表面が磨耗により用紙面を滑り易くなっており、用紙の数枚ごとに用紙Ｓの繰り出しを適正に行えずにジャムになるような場合に生じ易い。
【００４１】
ジャム発生間隔（平均値）は、ジョブを中断、破棄した場合におけるコピー枚数を累積カウント部１０９により累積カウントするか否かを決めるための閾値として用いられる。詳細は、後述する。
ＩＵ動作カウンター１０８は、ＩＵ１１Ｙ〜１１Ｋごとにコピージョブで使用された累積動作時間をカウントする。累積動作時間は、ＩＵ劣化の進行度合いの目安になり、本実施の形態では、ＩＵごとに累積動作時間が予め決められた閾値Ａを超えると、そのＩＵが寿命に達したことが判断される。ＩＵが寿命に達したことが判断されると、実行中のコピージョブがＣＰＵ１０１により中断、停止される。
【００４２】
累積カウント部１０９は、図５に示すように更新決定実行部１１０と、累積カウンター１１１などを備える。
累積カウンター１１１は、コピー枚数を累積してカウントし、その累積値を保持するものであり、ユーザー単位で個別に設けられており、例えば累積カウンターＡがユーザーＡに対するもの、累積カウンターＢがユーザーＢに対するものという具合になっている。
【００４３】
更新決定実行部１１０は、実行中のコピージョブが中断して破棄された場合に、破棄されたジョブごとに、その中断原因に基づいて、中断までに実際にコピーされた用紙の枚数を、そのジョブを実行したユーザー用の累積カウンターで累積カウントして更新するか否かを決め、更新することが決まった場合にだけ、その累積カウンターに対し、その用紙の枚数を現在の累積値に加算させて、累積値を更新させるものである。この累積値を以下、累積中断コピー枚数という。
【００４４】
図６は、累積カウンター１１１に保持されている累積中断コピー枚数を示す図であり、ユーザー単位で累積中断コピー枚数が対応付けられており、ユーザーごとにその累積カウンターＡ、Ｂ・・を参照することにより、全ユーザーのうち、累積中断コピー枚数が多いユーザーを判別することができる。
累積中断コピー枚数の更新は、実行中のジョブの中断原因により決まり、ジョブの中断原因は、上記のようにジョブ実行中にジャム、トラブル、ＩＵ寿命、トナーエンプティの発生、ユーザーによるストップキー５３の操作が含まれる。中断までのコピー枚数が累積されてもユーザーにとって酷にならないように、中断原因ごとに、累積カウント値を更新する場合と更新しない場合とが予め決められている。詳細については、後述する。
【００４５】
図３に戻り、ＣＰＵ１０１は、画像読取部２、画像形成部３、給紙部４などを統括的に制御して、コピーなどの各種ジョブを円滑に実行させる。また、ジョブ実行中に、ジャム検出、トラブル検出、ＩＵ寿命検出、トナーエンプティ検出、ユーザーによるストップキー５３の操作の検出などを行い、これらの検出を行うと、実行中のジョブを中断させる。さらに、後述のようにジョブを中断すると、中断原因ごとにその原因により中断していることを示すフラグをセットして、その中断原因が解消されると、当該フラグをリセットする処理を行う。このフラグは、予め決められた記憶領域にセットされる。
【００４６】
また、ジョブが中断しているときに、ユーザーによる当該ジョブの破棄指示があると、その指示に従って、当該ジョブを破棄する。ジョブの破棄は、当該ジョブにかかる画像データなどが削除されると共に、ジョブ管理テーブル１０６の「結果」欄に当該ジョブの結果として「破棄」が書き込まれ、また「中断までのコピー枚数欄」に中断までに実行されたコピー枚数が書き込まれる（図４参照）。
【００４７】
ＲＯＭ１０２には、各種ジョブを実行するためのプログラムなどが格納されており、格納されているプログラムは、ＣＰＵ１０１により読み出されてジョブの実行に供される。
ＲＡＭ１０３は、ＣＰＵ１０１のワークエリアとなる。
（４）制御部による処理内容
図７は、電源がオンされた後にコピージョブ（以下、単に「ジョブ」という。）が実行される場合の処理内容を示すフローチャートであり、当該処理は、制御部１４により実行される。
【００４８】
同図に示すように、初期動作を実行する（ステップＳ１）。初期動作とは、装置をコピー等のジョブが実行可能な状態にするためのウォームアップなどを含む動作である。
そして、停止条件の有無設定を行う（ステップＳ２）。
＜停止条件の有無設定＞
図８は、停止条件の有無設定のサブルーチンの内容を示すフローチャートである。
【００４９】
同図に示すようにジャム停止中フラグがセットされているか否かを判断する（ステップＳ２１）。ジャム停止中フラグは、後述の図１３のステップＳ１０４においてジョブ実行中にジャム発生により当該ジョブが中断されたときにセットされるフラグである。
ジャム停止中フラグがセットされていることを判断すると（ステップＳ２１で「ＹＥＳ」）、第１停止中画面を操作部５の液晶表示部５６に表示させて（ステップＳ２８）、停止条件フラグをセットした後（ステップＳ３０）、リターンする。
【００５０】
図９（ａ）は、第１停止中画面２０１の表示例を示す図である。
同図に示すように、第１停止中画面２０１は、中断したことを示すメッセージが表示されるメッセージ表示部２１１と、中断解除の方法をイラストで示す解除方法表示部２１２と、中断しているジョブを破棄することができる旨のメッセージが表示されるメッセージ表示部２１３からなる。
【００５１】
ユーザーは、メッセージ表示部２１１と解除方法表示部２１２を目視することにより、中断の原因とその原因の解消の方法を知ることができ、解除操作を行うことができる。
また、メッセージ表示部２１３には、ユーザーからのジョブ破棄の指示を受け付けるジョブ破棄ボタン２１４が表示されている。ユーザーは、このジョブ破棄ボタン２１４をタッチ入力（押下）することにより、当該中断しているジョブを破棄することができる。ジョブ破棄ボタン２１４がユーザーにより押下されると、後述するように当該ジョブが破棄される（図２３のステップＳ２４０）。また、ジョブ破棄により、その中断原因に基づいて累積中断コピー枚数の更新が実行される（図２３のＳ２３３など）。
【００５２】
図８に戻り、ジャム停止中フラグがセットされていないことを判断すると（ステップＳ２１で「ＮＯ」）、トラブル停止中フラグがセットされているか否かを判断する（ステップＳ２２）。トラブル停止中フラグは、後述の図１３のステップＳ１０６においてジョブ実行中にトラブル発生により当該ジョブが中断されたときにセットされるフラグである。
トラブル停止中フラグがセットされていることを判断すると（ステップＳ２２で「ＹＥＳ」）、第１停止中画面２０１を表示させ（ステップＳ２８）、停止条件フラグをセットした後（ステップＳ３０）、リターンする。なお、この場合の第１停止中画面２０１には、図９（ａ）においてジャムの箇所に代えてトラブルが発生している箇所が表示される。
【００５３】
トラブル停止中フラグがセットされていないことを判断すると（ステップＳ２２で「ＮＯ」）、寿命到達停止中フラグがセットされているか否かを判断する（ステップＳ２３）。寿命到達停止中フラグは、後述の図１４のステップＳ１２４において、ジョブ実行中にＩＵ１１Ｙ〜１１Ｋのうち、いずれかのＩＵが寿命に到達したことにより当該ジョブが中断されたときにセットされるフラグである。
【００５４】
寿命到達停止中フラグがセットされていることを判断すると（ステップＳ２３で「ＹＥＳ」）、第１停止中画面２０１を表示させ（ステップＳ２８）、停止条件フラグをセットした後（ステップＳ３０）、リターンする。なお、この場合の第１停止中画面２０１には、図９（ａ）においてジャムの箇所に代えて寿命に到達したＩＵを特定するための画面が表示される。
【００５５】
寿命到達停止中フラグがセットされていないことを判断すると（ステップＳ２３で「ＮＯ」）、エンプティ停止中フラグがセットされているか否かを判断する（ステップＳ２４）。エンプティ停止中フラグは、後述の図１４のステップＳ１２７において、ジョブ実行中に各色のうち、いずれかの色のトナーボトルが空になったことにより当該ジョブが中断されたときにセットされるフラグである。
【００５６】
エンプティ停止中フラグがセットされていることを判断すると（ステップＳ２４で「ＹＥＳ」）、第１停止中画面２０１を表示させ（ステップＳ２８）、停止条件フラグをセットした後（ステップＳ３０）、リターンする。なお、この場合の第１停止中画面２０１には、図９（ａ）においてジャムの箇所に代えて、各色のトナーボトルのうち、エンプティになったトナーボトルを特定するための画面が表示される。
【００５７】
エンプティ停止中フラグがセットされていないことを判断すると（ステップＳ２４で「ＮＯ」）、ストップキー停止中フラグがセットされているか否かを判断する（ステップＳ２５）。ストップキー停止中フラグは、後述の図１５のステップＳ１３３において、ジョブ実行中にユーザーがストップキー５３を操作（押下）したことにより当該ジョブが中断したときにセットされるフラグである。
【００５８】
ストップキー停止中フラグがセットされていることを判断すると（ステップＳ２５で「ＹＥＳ」）、第２停止中画面を液晶表示部５６に表示させて（ステップＳ２９）、停止条件フラグをセットした後（ステップＳ３０）、リターンする。
図９（ｂ）は、第２停止中画面２０２の表示例を示す図である。
同図に示すように、第２停止中画面２０２は、ストップキー５３の操作により中断したことを示すメッセージが表示されると共に、中断したジョブを再開させるための再スタートボタン２２１と、中断しているジョブを破棄するためのジョブ破棄ボタン２１４が表示される。ユーザーは、再スタートボタン２２１とジョブ破棄ボタン２１４を選択的に操作することができる。ユーザーにより再スタートボタン２２１が押下されると、後述のように中断したジョブが再開される。なお、ジョブ破棄ボタン２１４は、図９（ａ）の第１停止中画面２０１に示すジョブ破棄ボタン２１４と同じものである。
【００５９】
図８に戻り、ストップキー停止中フラグがセットされていないことを判断すると（ステップＳ２５で「ＮＯ」）、停止中画面が表示されている場合にはこれを消去した後（ステップＳ２６）、停止条件フラグをリセットして（ステップＳ２７）、リターンする。
図７に戻り、ステップＳ３で停止条件が設定、すなわちジャムなどによりジョブが中断されたために停止条件フラグがセットされていることを判断すると（ステップＳ３で「ＹＥＳ」）、停止中処理（ステップＳ１１）に移る。停止中処理については、後述する。
【００６０】
停止条件が設定されていない、すなわち停止条件フラグがリセットされていることを判断すると（ステップＳ３で「ＮＯ」）、実行すべき未処理のジョブが存在するか否かを判断する（ステップＳ４）。未処理のジョブには、中断されたジョブも含まれる。未処理のジョブが存在するか否かは、ジョブ管理テーブル１０６を参照することにより行われる。なお、未処理のジョブだけを例えば他のテーブルで管理するようにしても良い。
【００６１】
未処理のジョブが存在する場合には（ステップＳ４で「ＹＥＳ」）、ジョブを実行すべくステップＳ１０に移る。一方、未処理のジョブが存在しない場合には（ステップＳ４で「ＮＯ」）、上記のユーザー認証用画面を操作部５の液晶表示部５６に表示させて、ユーザーからのＩＤとパスワードの入力を受け付ける（ステップＳ５）。
入力されたＩＤとパスワードに基づきユーザー認証を行い、認証が失敗に終わると（ステップＳ６で「ＮＯ」）、ステップＳ２に戻る。この場合には、コピー等のジョブが実行されない。一方、認証が成功すると（ステップＳ６で「ＹＥＳ」）、ステップＳ７のコピーモードの設定に移る。
【００６２】
＜コピーモードの設定＞
図１０は、コピーモードの設定処理のサブルーチンの内容を示すフローチャートである。同図に示すように、認証されたユーザー（認証ユーザー）からのコピーモードの設定の入力を受け付けるための設定入力受付画面を操作部５の液晶表示部５６に表示させ（ステップＳ４１）、設定入力を受け付ける（ステップＳ４２）。コピーモードには、カラーとモノクロ、２−ｉｎ−１などが含まれる。
【００６３】
そして、認証ユーザー用に設けられた累積カウンター１１１による現在の累積中断コピー枚数が、所定値Ｍ以上であるか否かを判断する（ステップＳ４３）。
累積中断コピー枚数が所定値Ｍ以上であれば（ステップＳ４３で「ＹＥＳ」）、累積中断コピー枚数が多い旨の警告表示を操作部５の液晶表示部５６に表示させる（ステップＳ４４）。一方で、累積中断コピー枚数が所定値Ｍよりも少なければ（ステップＳ４３で「ＮＯ」）、そのままリターンする。この場合、警告表示は表示されない。このように累積中断コピー枚数の多さによって警告表示の要否を切り替えるのは、次の理由による。
【００６４】
すなわち、累積中断コピー枚数が多いということは、過去に中断した１以上のジョブにおいてその中断までにコピーされた累積のコピー枚数が多いことを示す。
ジョブが中断された場合に、その中断までにコピー出力された用紙が必ずしも使用されず、破棄される場合もあることからすると、累積中断コピー枚数が多いということは、破棄された用紙が多い蓋然性がそれだけ高いといえる。
【００６５】
このような累積中断コピー枚数が多いユーザーは、用紙を破棄する原因となるジョブの中断をあまり気にせずに繰り返している可能性があるので、これの注意を促す旨の警告を当該ユーザーに対して発することが望ましい。
そこで、累積中断コピー枚数が、その警告を発するための閾値としての所定値Ｍ以上に達しているか否かを判断し、達していなければその警告を発せず、達していれば、現にＭＦＰ１を操作している認証ユーザーに対してその警告を発するものである。
【００６６】
図１１（ａ）は、警告表示画面２０３を示す図であり、ＭＦＰ１を操作している認証ユーザーは、この警告表示画面２０３を目視することにより、自身の累積中断コピー枚数が多いことに気付き、今後、ジョブの設定をうっかり間違えることなどによりジョブを中断させるといったことがなくなるように注意することができる。
なお、所定値Ｍは、予めＭＦＰ１を管理する管理者などにより適した値が決められて操作部５からの設定入力により記憶される構成や、記憶された値が管理者などにより書き換え可能な構成、ＲＯＭ１０２などに予め記憶されている構成などとしても良い。
【００６７】
図１０に戻って、ステップＳ４５では、警告表示画面２０３に代えて、設定確認画面を操作部５の液晶表示部５６に表示させる。ここでは、警告表示画面２０３が所定時間、例えば５秒間だけ表示され、その時間経過後に設定確認画面に切り替えられる。
図１１（ｂ）は、設定確認画面２０４の表示例を示す図である。
同図に示すように、設定確認画面２０４には、ＭＦＰ１を操作している認証ユーザー（上記の警告を受けたユーザー）が自身で設定した原稿サイズ、用紙サイズ、コピーモードなどの各種項目の内容が一覧表示される。当該ユーザーは、設定確認画面２０４を目視することにより設定内容を再確認することができ、設定内容に間違いがなければＯＫボタン２３１を、再設定する場合には再設定ボタン２３２を選択して押下することができる。
【００６８】
図１０に戻り、ユーザーによりＯＫボタン２３１が押下された場合には（ステップＳ４６で「ＹＥＳ」）、設定確認画面２０４を消去して（ステップＳ４８）、リターンする。
再設定ボタン２３２が押下された場合には（ステップＳ４６で「ＮＯ」、Ｓ４７で「ＹＥＳ」）、ステップＳ４１に戻り、ユーザーからの再度の設定入力を受け付けて、ステップＳ４１以降の処理を再度、実行する。
【００６９】
図７に戻り、ステップＳ８では、ユーザーからのジョブ開始指示があったか否かを判断する。ジョブ開始指示があったことは、スタートキー５２の押下により判断される。
ジョブ開始指示があると（ステップＳ８で「ＹＥＳ」）、モード切替判断処理を行う（ステップＳ９）。モード切替判断処理（図２５）は、当該ジョブ（今回のジョブ）が、前回（１回前）に中断により破棄されたジョブの次のジョブであり、前回のジョブとでコピーモードが変わっている場合に、前回と今回のジョブにおけるコピー枚数の大小関係に基づいて累積コピー枚数の更新を行うか否かを切り替える処理である。この処理の詳細については、後述する。
【００７０】
続いて、コピー動作を実行する（ステップＳ１０）。
＜コピー動作＞
図１２は、コピー動作のサブルーチンの内容を示すフローチャートである。
同図に示すように、コピー枚数を示す変数Ｎを１に設定する（ステップＳ８１）。そして、Ｎ枚目、ここでは１枚目の用紙Ｓに対するコピー処理を上記のコピーモードの設定処理で設定された内容に基づき実行する（ステップＳ８２）。続いて、エラー判断処理を実行する（ステップＳ８３）。
【００７１】
＜エラー判断処理＞
図１３は、エラー判断処理のサブルーチンの内容を示すフローチャートである。
同図に示すように、ジョブ実行中にジャムが発生したか否かを判断する（ステップＳ１０１）。ジャムが発生しないことを判断すると（ステップＳ１０１で「ＮＯ」）、ジョブ実行中にトラブル（故障）が発生したか否かを判断する（ステップＳ１０２）。トラブルとしては、例えば定着部１３のヒーター１６の断線があり、ヒーター１６の断線は、定着ヒーター断線検出センサー１７により検出される。なお、トラブルがこれに限られず、他の部品の故障などを検出するようにして、これをトラブル発生と判断するとしても良い。
【００７２】
トラブルが発生しないことを判断すると（ステップＳ１０２で「ＮＯ」）、リターンする。一方、ジャムが発生したことを判断すると（ステップＳ１０１で「ＹＥＳ」）、実行中のジョブのコピー動作を中断して停止し（ステップＳ１０３）、ジャム停止中フラグをセットして（ステップＳ１０４）、ステップＳ１０７に移る。
トラブルが発生したことを判断すると（ステップＳ１０２で「ＹＥＳ」）、実行中のジョブのコピー動作を中断して停止し（ステップＳ１０５）、トラブル停止中フラグをセットして（ステップＳ１０６）、ステップＳ１０７に移る。
【００７３】
ステップＳ１０７では、ジョブの中断原因であるジャムまたはトラブルをユーザーにより解消が可能か否かを判断する。ここでは、ジャムの場合には解消が可能と判断され、トラブルの場合には不可と判断される。
ユーザーにより解消が不可と判断されると（ステップＳ１０７で「ＮＯ」）、リターンする。一方、ユーザーにより解消が可能と判断されると（ステップＳ１０７で「ＹＥＳ」）、ジャム発生間隔が所定値Ｒ以上であるか否かを判断する（ステップＳ１０８）。ジャム発生間隔は、過去のジャム発生間隔を平均したジャム発生間隔（平均値）であり、ジャム発生間隔算出部１０７により算出される。
【００７４】
ジャム発生間隔が所定値Ｒ以上であることを判断すると（ステップＳ１０８で「ＹＥＳ」）、ユーザー復帰可能フラグをセットして（ステップＳ１０９）、リターンする。一方で、ジャム発生間隔が所定値Ｒよりも小さいことを判断すると（ステップＳ１０８で「ＮＯ」）、リターンする。
すなわち、ユーザー復帰可能フラグは、（ａ）ジャムが発生し、かつジャム発生間隔が所定値Ｒ以上であればセットされるが、（ｂ）ジャムが発生してもジャム発生間隔が所定値Ｒよりも小さければセットされず、また（ｃ）トラブルが発生した場合もセットされないことになる。このように（ａ）〜（ｃ）の条件により、ユーザー復帰可能フラグのセットの要否を分けているのは、次の理由による。
【００７５】
すなわち、上記のようにジャム発生間隔（平均値）が極めて小さい値であれば、ユーザーがジャムを解除しても直ぐにジャムが再発するという故障に近い状態であるので、ユーザーにより解除できないトラブルと同様に扱うべく、ユーザー復帰可能フラグをセットしないようにしたものである。所定値Ｒは、故障とみなされても止むを得ないと想定されるジャム発生間隔（平均値）の大きさとして予め設定される。
【００７６】
図１２に戻り、ステップＳ８４では、実行中のジョブがステップＳ８３のエラー判断処理において、中断されたか否かを判断する。中断されたことが判断されると（ステップＳ８４で「ＹＥＳ」）、リターンする。
中断されていないことが判断されると（ステップＳ８４で「ＮＯ」）、ＩＵ寿命判断処理に移る（ステップＳ８５）。
【００７７】
＜ＩＵ寿命判断処理＞
図１４は、ＩＵ寿命判断処理のサブルーチンの内容を示すフローチャートである。
同図に示すように、ＩＵ寿命カウント処理を実行する（ステップＳ１２１）。ＩＵ寿命カウント処理は、ＩＵ動作カウンター１０８に保持されているＩＵ１１Ｙ〜１１Ｋごとの累積動作時間を読み出す処理である。
【００７８】
ジョブ実行中に寿命に達したＩＵが存在するか否かを判断する（ステップＳ１２２）。ＩＵが寿命に達したことの判断は、ＩＵの累積動作時間が所定値を超えている場合に行われる。所定値は、累積動作時間がこの値に達すればＩＵが寿命に到達したであろうと予想される時間として予め実験などから求められるものである。ここでは、各ＩＵに同じ所定値が設定される。
【００７９】
どのＩＵも寿命に達していないことを判断すると（ステップＳ１２２で「ＮＯ」）、ジョブ実行中にトナーボトル２７Ｙ〜２７Ｋのいずれかがエンプティになっているか否かを判断する（ステップＳ１２５）。この判断は、トナーエンプティセンサー７Ｙ〜７Ｋの検出信号に基づき行われる。
どのトナーボトルもエンプティになっていないことを判断すると（ステップＳ１２５で「ＮＯ」）、リターンする。
【００８０】
一方、いずれかのＩＵが寿命に達したことを判断すると（ステップＳ１２２で「ＹＥＳ」）、実行中のジョブのコピー動作を中断して停止し（ステップＳ１２３）、寿命到達停止中フラグをセットして（ステップＳ１２４）、ステップＳ１２８に移る。
また、いずれかのトナーボトルがエンプティになっていることを判断すると（ステップＳ１２５で「ＹＥＳ」）、実行中のジョブのコピー動作を中断して停止し（ステップＳ１２６）、エンプティ停止中フラグをセットして（ステップＳ１２７）、ステップＳ１２８に移る。
【００８１】
ステップＳ１２８では、ユーザーによりＩＵまたはトナーボトルの交換が可能か否かを判断する。ここでは、トナーボトルについては交換可能、サービスマンにより交換されるＩＵについてはユーザーによる交換が不可と判断される。なお、ＩＵについてもユーザー交換可能な構成であれば、両方とも交換可能と判断される。
ユーザーにより交換可能と判断されると（ステップＳ１２８で「ＹＥＳ」）、ユーザー復帰可能フラグをセットして（ステップＳ１２９）、リターンする。一方、ユーザーにより交換不可と判断されると（ステップＳ１２８で「ＮＯ」）、ユーザー復帰可能フラグをセットすることなく、リターンする。
【００８２】
図１２に戻り、ステップＳ８６では、実行中のジョブがステップＳ８５のＩＵ寿命判断処理において中断されたか否かを判断する。中断されたことが判断されると（ステップＳ８６で「ＹＥＳ」）、リターンする。
中断されていないことが判断されると（ステップＳ８６で「ＮＯ」）、ストップキー停止判断処理に移る（ステップＳ８７）。
【００８３】
＜ストップキー停止判断処理＞
図１５は、ストップキー停止判断処理のサブルーチンの内容を示すフローチャートである。同図に示すように、ジョブ実行中にユーザーによりストップキー５３が押下されたか否かを判断する（ステップＳ１３１）。
ユーザーによりストップキー５３が押下されたことを判断すると（ステップＳ１３１で「ＹＥＳ」）、実行中のジョブのコピー動作を中断して停止し（ステップＳ１３２）、ストップキー停止中フラグをセットして（ステップＳ１３３）、リターンする。
【００８４】
ユーザーによりストップキー５３が押下されていないことを判断すると（ステップＳ１３１で「ＮＯ」）、エンプティ停止中フラグをセットすることなく、リターンする。
図１２に戻り、ステップＳ８８では、実行中のジョブがステップＳ８７のストップキー停止判断処理において中断されたか否かを判断する。中断されたことが判断されると（ステップＳ８８で「ＹＥＳ」）、リターンする。
【００８５】
中断されていないことが判断されると（ステップＳ８８で「ＮＯ」）、Ｎ枚目、ここでは１枚目の用紙Ｓに対するコピー動作が終了したか否かを判断する（ステップＳ８９）。コピー動作の終了の判断は、例えばＮ枚目の用紙ＳがＭＦＰ１から排出されたことにより行われる。
１枚目の用紙Ｓに対するコピー動作が終了していないことを判断すると（ステップＳ８９で「ＮＯ」）、ステップＳ８３に戻って、ステップＳ８３〜Ｓ８９の処理を実行する。１枚目の用紙Ｓに対するコピー動作の終了が判断されるまで、またはジョブ中断が判断されるまで、ステップＳ８３〜Ｓ８９の処理が繰り返し実行される。
【００８６】
１枚目の用紙Ｓに対するコピー動作の終了を判断すると（ステップＳ８９で「ＹＥＳ」）、現在の変数Ｎの値、ここでは１に「１」をインクリメントする（ステップＳ９０）。そして、変数Ｎ、ここでは「２」が当該ジョブの最後にコピーすべき用紙の枚数の値に一致するか否か（Ｎが最終であるか否か）を判断する（ステップＳ９１）。
変数Ｎの値が最終ではないことを判断すると（ステップＳ９１で「ＮＯ」）、ステップＳ８２に戻って、Ｎ枚目、ここでは２枚目の用紙Ｓに対するコピー動作を実行する。ステップＳ８２〜９１までの処理を、Ｎの値が最終であると判断されるまで、Ｎ枚目の用紙ごとに繰り返し実行する。Ｎの値が最終であることを判断すると（ステップＳ９１で「ＹＥＳ」）、リターンする。この場合、当該ジョブ実行中にエラー等による中断が行われなかったことになる。
【００８７】
ジョブ実行中にそのジョブが中断された場合には、上記のジャム停止中フラグ〜ストップキー停止中フラグのいずれかが停止条件フラグとしてセットされていることになるので、図７のステップＳ３で「ＹＥＳ」と判断されて、そのジョブが中断している状態で停止中処理（ステップＳ１１）、ジョブ破棄判断処理（ステップＳ１２）が実行される。
＜停止中処理＞
図１６は、停止中処理のサブルーチンの内容を示すフローチャートである。
【００８８】
同図に示すように、停止中処理は、ＩＵ寿命到達停止中処理（ステップＳ１４１）、ジャム停止中処理（ステップＳ１４２）、トラブル停止中処理（ステップＳ１４３）、エンプティ停止中処理（ステップＳ１４４）、ストップキー停止中処理（ステップＳ１４５）を順次、実行して、リターンする。なお、停止中処理は、ジョブが中断している状態で実行されるので、停止中処理が開始されるときには、操作部５の液晶表示部５６に、第１停止中画面２０１または第２停止中画面２０２が表示されているものとする。
【００８９】
図１７は、ＩＵ寿命到達停止中処理のサブルーチンの内容を示すフローチャートである。同図に示すように、寿命到達停止中フラグがセットされているか否かを判断する（ステップＳ１６１）。当該フラグがセットされていないことを判断すると（ステップＳ１６１で「ＮＯ」）、リターンする。
当該フラグがセットされていることを判断すると（ステップＳ１６１で「ＹＥＳ」）、寿命に到達したと判断されたＩＵが新品のものに交換されたか否かを判断する（ステップＳ１６２）。新品のＩＵに交換されたことの検出は、ＩＵ交換検出部６Ｙ〜６Ｋにより行われ、ＩＵ交換検出部６Ｙ〜６Ｋにより交換されたことが検出されると、新品のＩＵに交換されたことが判断される。
【００９０】
新品のＩＵに交換されたことを判断すると（ステップＳ１６２で「ＹＥＳ」）、ＩＵ寿命による中断原因が解消されたとして、交換されたＩＵに対する累積動作時間を０にリセットして（ステップＳ１６３）、所定の初期化処理を行い（ステップＳ１６４）、寿命停止中フラグをリセットして（ステップＳ１６５）、リターンする。
この場合、第１停止中画面２０１または第２停止中画面２０２においてジョブ破棄ボタン２１４がユーザーにより押下されていないので、中断しているジョブが破棄されることはなく、他の中断原因がなければ、図７のステップＳ４において未処理のジョブがあるとして、ステップＳ１０で中断しているジョブが再開されることになる。
【００９１】
一方、ＩＵがまだ交換されていないことを判断すると（ステップＳ１６２で「ＮＯ」）、ジョブ破棄フラグセット処理を実行して（ステップＳ１６６）、リターンする。
図１８は、ジョブ破棄フラグセット処理のサブルーチンの内容を示すフローチャートである。同図に示すように、ユーザーによりジョブ破棄ボタン２１４が押下されたか否かを判断する（ステップＳ１８１）。
【００９２】
ジョブ破棄ボタン２１４が押下されたことを判断すると（ステップＳ１８１で「ＹＥＳ」）、ジョブ破棄フラグをセットして（ステップＳ１８２）、液晶表示部５６に表示されている停止中画面、ここでは第１停止中画面２０１を消去して（ステップＳ１８３）、リターンする。この場合、ジョブ破棄ボタン２１４が押下されたので、後述のジョブ破棄判断処理において、中断しているジョブが破棄されることになる。
【００９３】
一方、ジョブ破棄ボタン２１４が押下されていないことを判断すると（ステップＳ１８１で「ＮＯ」）、リターンする。この場合、ＩＵの交換もされず、ジョブ破棄ボタン２１４も押下されていないことになるので、ジョブが中断している状態が継続される。
＜ジャム停止中処理＞
図１９は、ジャム停止中処理のサブルーチンの内容を示すフローチャートである。
【００９４】
同図に示すように、ジャム停止中フラグがセットされているか否かを判断する（ステップＳ１９１）。当該フラグがセットされていないことを判断すると（ステップＳ１９１で「ＮＯ」）、リターンする。
当該フラグがセットされていることを判断すると（ステップＳ１９１で「ＹＥＳ」）、ユーザーの操作によりジャムが解除されたか否かを判断する（ステップＳ１９２）。ジャムが解除されたことを判断すると（ステップＳ１９２で「ＹＥＳ」）、ジャムからの復帰処理、例えばウォームアップなどを行って（ステップＳ１９３）、中断原因が解消されたとしてジャム停止中フラグをリセットして（ステップＳ１９４）、リターンする。
【００９５】
この場合、ジョブ破棄ボタン２１４がユーザーにより押下されていないので、中断しているジョブが破棄されることはなく、他の中断原因がなければジョブが再開される。
一方、ジャムが解除されていないことを判断すると（ステップＳ１９２で「ＮＯ」）、ジョブ破棄フラグセット処理を実行して（ステップＳ１９５）、リターンする。このジョブ破棄フラグセット処理は、図１８に示すジョブ破棄フラグセット処理と同じであるので、説明は省略するが、ジョブ破棄ボタン２１４の押下が判断されなければ、ジョブが中断している状態が継続される。
【００９６】
＜トラブル停止中処理＞
図２０は、トラブル停止中処理のサブルーチンの内容を示すフローチャートである。
同図に示すように、トラブル停止中フラグがセットされているか否かを判断する（ステップＳ２０１）。当該フラグがセットされていないことを判断すると（ステップＳ２０１で「ＮＯ」）、リターンする。
【００９７】
当該フラグがセットされていることを判断すると（ステップＳ２０１で「ＹＥＳ」）、トラブルが解除されたか否かを判断する（ステップＳ２０２）。例えば、トラブルが定着部１３のヒーター１６の断線により発生している場合、サービスマンにより新たなヒーター１６に交換されることによりトラブルが解除（中断原因が解消）される。
トラブルが解除されたことを判断すると（ステップＳ２０２で「ＹＥＳ」）、トラブルからの復帰処理、例えばウォームアップなどを行い（ステップＳ２０３）、中断原因が解消されたとしてトラブル停止中フラグをリセットして（ステップＳ２０４）、リターンする。この場合、ジョブ破棄ボタン２１４がユーザーにより押下されていないので、中断しているジョブが破棄されることはなく、他の中断原因がなければジョブが再開される。
【００９８】
一方、トラブルが解除されていないことを判断すると（ステップＳ２０２で「ＮＯ」）、ジョブ破棄フラグセット処理を実行して（ステップＳ２０５）、リターンする。このジョブ破棄フラグセット処理は、図１８に示すジョブ破棄フラグセット処理と同じであるので、説明は省略するが、ジョブ破棄ボタン２１４の押下が判断されなければ、ジョブが中断している状態が継続される。
【００９９】
＜エンプティ停止中処理＞
図２１は、エンプティ停止中処理のサブルーチンの内容を示すフローチャートである。
同図に示すように、エンプティ停止中フラグがセットされているか否かを判断する（ステップＳ２１１）。当該フラグがセットされていないことを判断すると（ステップＳ２１１で「ＮＯ」）、リターンする。
【０１００】
当該フラグがセットされていることを判断すると（ステップＳ２１１で「ＹＥＳ」）、エンプティになっているトナーボトルが新たなものに交換されたか否かを判断する（ステップＳ２１２）。トナーボトルが新たなものに交換されたことの検出は、トナーボトル交換検出部８Ｙ〜８Ｋにより行われる。
新たなトナーボトルに交換されたことを判断すると（ステップＳ２１２で「ＹＥＳ」）、エンプティからの復帰処理、例えばトナーの現像部への補給などを行い（ステップＳ２１３）、中断原因が解消されたとしてエンプティ停止中フラグをリセットして（ステップＳ２１４）、リターンする。
【０１０１】
この場合、ジョブ破棄ボタン２１４がユーザーにより押下されていないので、中断しているジョブが破棄されることはなく、他の中断原因がなければジョブが再開される。
一方、トナーボトルが交換されていないことを判断すると（ステップＳ２１２で「ＮＯ」）、ジョブ破棄フラグセット処理を実行して（ステップＳ２１５）、リターンする。このジョブ破棄フラグセット処理は、図１８に示すジョブ破棄フラグセット処理と同じであるので、説明は省略するが、ジョブ破棄ボタン２１４の押下が判断されなければ、ジョブが中断している状態が継続される。
【０１０２】
＜ストップキー停止中処理＞
図２２は、ストップキー停止中処理のサブルーチンの内容を示すフローチャートである。同図に示すように、ストップキー停止中フラグがセットされているか否かを判断する（ステップＳ２２１）。当該フラグがセットされていないことを判断すると（ステップＳ２２１で「ＮＯ」）、リターンする。
【０１０３】
当該フラグがセットされていることを判断すると（ステップＳ２２１で「ＹＥＳ」）、再スタートボタン２２１（図９（ｂ））がユーザーにより押下されたか否かを判断する（ステップＳ２２２）。
再スタートボタン２２１が押下されたことを判断すると（ステップＳ２２２で「ＹＥＳ」）、中断原因が解消されたとしてストップキー停止中フラグをリセットして（ステップＳ２２３）、リターンする。この場合、中断原因が解消されてジョブが再開される。
【０１０４】
一方、再スタートボタン２２１が押下されていないことを判断すると（ステップＳ２２２で「ＮＯ」）、ジョブ破棄フラグセット処理を実行して（ステップＳ２２４）、リターンする。このジョブ破棄フラグセット処理は、図１８に示すジョブ破棄フラグセット処理と同じであるので、説明は省略するが、ジョブ破棄ボタン２１４の押下が判断されなければ、ジョブが中断している状態が継続される。
【０１０５】
＜ジョブ破棄判断処理＞
図２３は、ジョブ破棄判断処理のサブルーチンの内容を示すフローチャートである。
同図に示すように、ジョブ破棄フラグがセットされているか否かを判断する（ステップＳ２３１）。当該フラグは、図１８に示すジョブ破棄フラグセット処理においてジョブ破棄ボタン２１４がユーザーにより押下されたことを契機にセットされるフラグである。
【０１０６】
当該フラグがセットされていないことを判断すると（ステップＳ２３１で「ＮＯ」）、リターンする。この場合、中断しているジョブの破棄をユーザーが指示していないことになるので、当該ジョブが破棄されることはない。
当該フラグがセットされていることを判断すると（ステップＳ２３１で「ＹＥＳ」）、ユーザー復帰可能フラグがセットされているか否かを判断する（ステップＳ２３２）。当該フラグは、図１３に示すエラー判断処理のステップＳ１０９および図１４に示すＩＵ寿命判断処理のステップＳ１２９においてセットされるフラグであり、ジョブの中断原因をユーザーの操作により解除可能であることを示すものである。
【０１０７】
当該フラグのセットを判断すると（ステップＳ２３２で「ＹＥＳ」）、累積中断コピー枚数更新処理を実行して（ステップＳ２３３）、ステップＳ２３４に移る。
図２４は、累積中断コピー枚数更新処理のサブルーチンの内容を示すフローチャートである。同図に示すように、当該ジョブ中断時における変数Ｎの値を読み出す（ステップＳ２５１）。変数Ｎは、ジョブごとに、１枚の用紙にコピーが実行されるごとに１が加算される累積値を示すので、ジョブ中断時の変数Ｎの値は、当該ジョブ開始から中断までに実際にコピーされた用紙枚数を示すものになる。
【０１０８】
続いて、更新する累積カウンターを特定する（ステップＳ２５２）。この特定は、当該ジョブを発行した認証ユーザーに対して予め設けられている累積カウンターを特定することにより行われる。例えば、当該ジョブを発行したユーザーがユーザーＡであれば累積カウンターＡが特定され、ユーザーＢであれば累積カウンターＢが特定される。
そして、特定した累積カウンターに対して、現在の累積値（累積中断コピー枚数）に、読み出した変数Ｎの値を加算させて、累積中断コピー枚数を更新して（ステップＳ２５３）、リターンする。
【０１０９】
図２３に戻り、ユーザー復帰可能フラグがセットされていないことを判断すると（ステップＳ２３２で「ＮＯ」）、累積中断コピー枚数の更新を実行せずに、ステップＳ２３４に移る。このように累積中断コピー枚数の更新は、ユーザー自身の操作により復帰可能なものとして予め決められた中断原因（ジャム、エンプティなど）により中断したジョブが破棄された場合に実行されるが、復帰不可の中断原因（トラブルなど）により中断したジョブが破棄された場合には実行されない。このように切り替えるのは、次の理由による。
【０１１０】
すなわち、（ａ）復帰不可の中断の場合、基本的にユーザーが解除することができず、ユーザーがどうすることもできない状況で、装置側の原因で中断したジョブをユーザーが破棄したからといって、これを累積中断コピー枚数にカウントするのは、ユーザーにとって酷となる。
（ｂ）これに対して、復帰可能な中断の場合、ユーザーの操作により解除できるはずであり、解除できるのに、その解除操作が面倒または急ぐなどの理由により解除操作をせずに、中断したジョブを破棄することは、破棄により使い道がなくなった、中断までのコピー済みの用紙が廃棄される蓋然性を考慮すれば、ユーザーに酷とはいえず、累積中断コピー枚数にカウントすることが望ましいと考えられるからである。
【０１１１】
ステップＳ２３４では、ストップ停止中フラグがセットされているか否かを判断する。
当該フラグがセットされていることを判断すると（ステップＳ２３４で「ＹＥＳ」）、前回ジョブ確認要求フラグをセットして（ステップＳ２３５）、ステップＳ２３６に移る。ユーザーによるストップキー５３の操作によりジョブが中断されている状態でジョブ破棄ボタン２１４が押下された場合であり（図２２のステップＳ２２１、Ｓ２２４、図１８のＳ１８１で「ＹＥＳ」、Ｓ１８２）、この場合にだけ前回ジョブ確認要求フラグがセットされることになる。
【０１１２】
この前回ジョブ確認要求フラグがセットされると、破棄されたジョブの次のジョブが実行される場合に、図２５に示すモード切替判断処理において累積中断コピー枚数を更新するか否かが切り替えられる。
ストップ停止中フラグがセットされていないことを判断すると（ステップＳ２３４で「ＮＯ」）、ステップＳ２３６に移る。
【０１１３】
ステップＳ２３６でユーザー復帰可能フラグをリセットし、ステップＳ２３７でストップ停止中フラグをリセットし、ステップＳ２３８でジョブ破棄フラグをリセットする。
続いて、現在の変数Ｎの値（当該中断しているジョブの中断までに実行されたコピー枚数に相当）を、ジョブ管理テーブル１０６における当該ジョブのジョブ番号に対応する「中断までのコピー枚数」欄に書き込む（ステップＳ２３９）。図４の例では、ジョブ番号１００のジョブが破棄されたジョブであり、「中断までのコピー枚数」欄に、Ｎの値として３０枚が書き込まれている例が示されている。
【０１１４】
そして、当該中断しているジョブを破棄して（ステップＳ２４０）、リターンする。ルーチンが一巡し、図７に示すステップＳ２に戻ったときには、当該ジョブが破棄されており、これらのフラグがリセットされた状態でステップＳ２以降の処理が行われる。
なお、ジョブが破棄されてもジャムなどの中断原因が解消されていなければ、ジョブが中断している状態が継続され、中断原因が解消されると、ジャム停止中フラグなどの停止条件フラグがリセットされて、図７において停止条件が未設定と判断されると（ステップＳ３で「ＮＯ」）、次のジョブの受け付けなどが行われる（ステップＳ４〜Ｓ１０）。
【０１１５】
破棄されたジョブの次に新たなジョブが受け付けられ、そのジョブの開始指示があり（ステップＳ４〜Ｓ８）、続いてモード切替判断処理（ステップＳ９）が実行される場合の動作を以下に説明する。なお、破棄されたジョブを前回ジョブ、これの次の新たなジョブを今回ジョブとして区別する。
図２５は、モード切替判断処理のサブルーチンの内容を示すフローチャートである。
【０１１６】
同図に示すように前回ジョブ確認要求フラグがセットされているか否かを判断する（ステップＳ６１）。当該フラグは、図２３のステップＳ２３５でセットされたものであり、当該フラグがセットされているということは、ストップキー５３の操作で中断したジョブ（前回ジョブ）がジョブ破棄ボタン２１４により破棄された場合を示している。
当該フラグがセットされていないことを判断すると（ステップＳ６１で「ＮＯ」）、リターンする。一方、当該フラグがセットされていることを判断すると（ステップＳ６１で「ＹＥＳ」）、前回ジョブと今回ジョブのコピーモードを比較する（ステップＳ６２）。
【０１１７】
コピーモードの比較は、ジョブ管理テーブル１０６のモード欄において、前回ジョブと今回ジョブに対する２−ｉｎ−１の設定の有無を参照することにより行われる。
例えば、前回ジョブと今回ジョブの両方が２−ｉｎ−１を設定または未設定であれば、モードが同じであり、前回ジョブでは未設定であったが今回ジョブで設定されている場合には、モードが異なっていると判断することができる。
【０１１８】
コピーモードが前回ジョブと今回ジョブとで異なっていることを判断すると（ステップＳ６３で「ＹＥＳ」）、以下の（式１）を満たすか否かを判断する（ステップＳ６４）。
Ｐ≧（Ｐ１−Ｐ２）・・・（式１）
ここで、Ｐは、前回ジョブにおける中断までに実行されたコピー枚数を示し、Ｐ１は、前回ジョブのコピー設定枚数（中断せずに最後までコピーしたと仮定した場合の枚数）を示し、Ｐ２は、今回ジョブのコピー設定枚数（中断せずに最後までコピーした場合の枚数）を示している。
【０１１９】
今回ジョブを前回ジョブのやり直しとすると、（Ｐ１−Ｐ２）は、２―ｉｎ―１モードを用いることによるジョブのやり直しにより節約されるコピー枚数（節約効果枚数）となる。Ｐ，Ｐ１，Ｐ２の値は、ジョブ管理テーブル１０６から取得することができる。
具体的には、図４に示すジョブ管理テーブル１０６において、例えば前回ジョブをジョブ番号１００番のジョブ、今回ジョブを１０１番のジョブとすれば、Ｐは３０枚、Ｐ１は１００枚、Ｐ２は５０枚になり、節約効果枚数は５０枚になる。これらのＰ，Ｐ１，Ｐ２の値を上記の（式１）に代入すると、（式１）を満たさないことになる。
【０１２０】
この（式１）は、無駄なコピーであるか否かを判断するために用いられる式であり、（式１）を満たす場合に無駄なコピーが行われていると判断され、満たさない場合には無駄なコピーではないと判断されるようになっている。
すなわち、前回ジョブを、ユーザーがうっかりしてコピーモードを２−ｉｎ−１に設定することを忘れてしまったジョブ、今回ジョブを、前回ジョブのやり直しのジョブとした場合に、前回ジョブをできるだけ早く中断させて今回ジョブに切り替えた方が用紙の使用枚数を少なくすることができる。
【０１２１】
具体的には、上記の例であれば、前回ジョブは２−ｉｎ−１ではない通常のジョブ（１枚の用紙の片面に１ページ分をコピーするジョブ）なので、前回ジョブだけを実行すれば１００枚（Ｐ１）の用紙を使うことになるが、前回ジョブを例えば１枚目の用紙で中断して、今回ジョブに切り替えれば、今回ジョブで使用される用紙が５０枚（Ｐ２）、前回ジョブの中断までのコピー枚数が１枚（Ｐ）で合計５１枚になり、前回ジョブだけの場合の１００枚を大きく下回っており、１枚の用紙を廃棄するだけで済む。
【０１２２】
ところが、中断時期が遅れて、例えば６０枚目で中断すれば、前回ジョブと今回ジョブとで合計１１０枚の用紙が必要になり、前回ジョブだけの１００枚を超えてしまう。
このような中断を行えば、前回ジョブの６０枚の用紙が廃棄される可能性があり、前回ジョブを６０枚目で中断せずに、そのまま継続した方が用紙の合計の使用枚数が増えることを防止できる。
【０１２３】
このことから、（式１）を満たす場合、上記例では枚数Ｐが５０枚（節約効果枚数）以上であれば、合計枚数が前回ジョブだけのコピー設定枚数Ｐ１以上になることから、無駄なコピーが行われており、枚数Ｐが５０枚（節約効果枚数）よりも少なければ、Ｐ１よりも少なくなることから、無駄なコピーではないと判断するものである。
実行中のジョブをユーザーがストップキー５３の操作により中断させる行為は、ユーザーがコピーモードの設定をうっかり誤ったことが原因になることが多く、そうとすればユーザー側に原因があることになるので、無駄なコピーが行われていると判断した場合には、累積中断コピー枚数が更新されてもユーザーにとっては酷になるとはいえない。
【０１２４】
そこで、（式１）を満たすことを判断すると（ステップＳ６４で「ＹＥＳ」）、累積中断コピー枚数更新処理を実行し（ステップＳ６５）、（式１）を満たさないことを判断すると（ステップＳ６４で「ＮＯ」）、累積中断コピー枚数更新処理を実行せずに、リターンするようになっている。ステップＳ６５の累積中断コピー枚数更新処理は、図２４に示す累積中断コピー枚数更新処理と同じ処理である。
【０１２５】
累積中断コピー枚数更新処理を実行すると（ステップＳ６５）、前回ジョブ確認要求フラグをリセットして（ステップＳ６６）、リターンする。この場合、次に前回ジョブ確認要求フラグがセットされるまで（図２３のＳ２３５）、すなわち次に、ストップキー５３により中断されたジョブが破棄されることが発生するまで、モード切替判断処理は実行されないことになる。
【０１２６】
なお、前回ジョブが２−ｉｎ−１、今回ジョブが通常（２−ｉｎ−１ではない）ジョブである場合には、（式１）を満たすことになる。この場合、本来であれば前回ジョブの方が今回ジョブよりも用紙枚数が少なくなるところ、前回ジョブを中断してまで今回ジョブをやり直すことは、前回ジョブの２−ｉｎ−１による中断までにコピーされた用紙が廃棄される可能性が高くなるとして、累積中断コピー枚数を更新するものである。
【０１２７】
また、ステップＳ６３においてコピーモードが前回ジョブと今回ジョブとで同じ場合には、コピーモードの設定の誤りによるジョブのやり直しではない蓋然性が高いので、累積中断コピー枚数更新処理を実行せずにリターンする（ステップＳ６３で「ＮＯ」）。
（５）中断原因の違いにより累積中断コピー枚数を更新するケースと更新しないケースの具体例
・ケースＡ
ユーザーの操作やコピーモードの設定に関係なく、ＭＦＰ１側の事情によりジョブが中断され、ユーザーが復帰操作を行える場合。
【０１２８】
例えば、上記のジャムやトナーエンプティの発生がある。ＭＦＰ１は、通常、ジャム発生やトナーエンプティ発生時にユーザーが容易にジャム解除やトナーボトルの交換などの操作を行うことができるように構成されており、ジャムやトナーエンプティが発生すれば、ユーザーがその解除操作を行うことが本来である。
この解除操作が容易であるにも関わらず、面倒などの理由によりユーザーがこれを行うことなく、中断されたジョブを破棄することは、本来の操作から外れており、ユーザーが別のＭＦＰでジョブを一からやり直すことがあれば、中断までにコピーされた用紙が使用されずに廃棄されて無駄になる蓋然性が高くなる。
【０１２９】
そこで、ケースＡの状況でジョブが破棄された場合は、これを削減すべきジョブ破棄として、累積中断コピー枚数を更新する（図２３のステップＳ２３２で「ＹＥＳ」、Ｓ２３３）。
累積中断コピー枚数の更新により、累積中断コピー枚数が増えて所定値Ｍを超えると警告が表示されるので（図１０のステップＳ４３で「ＹＥＳ」、Ｓ４４）、ユーザーは、その表示を見て、無駄なコピーが多いことを気付くことができる。
【０１３０】
一方で、管理者側にとっては、累積中断コピー枚数の管理により、無駄なコピーが多いユーザーを特定して、そのユーザーに警告、指導等を行うことができる。
ケースＡは、ジャムやトナーエンプティに限られず、例えば給紙トレイ３１に収容されていた用紙Ｓがジョブ実行中になくなったためにジョブが中断したような場合にも適用できる。ユーザーは、給紙トレイ３１に用紙Ｓを補充する操作を行えば済むところ、その操作を行わずにジョブを破棄した場合に、累積中断コピー枚数の更新が実行される。
【０１３１】
・ケースＢ
ユーザーの操作やコピーモードの設定に関係なく、ＭＦＰ１側の事情によりジョブが中断され、ユーザーが復帰操作を行えない場合。
例えば、上記のトラブルの発生がある。ユーザーにより復帰操作が行えなければ、中断したジョブを破棄して、別のＭＦＰ１で一からジョブをやり直すことも止むを得ないことから、ケースＢの状況でジョブが破棄された場合は、これを削減すべきジョブ破棄ではないとして、累積中断コピー枚数を更新しない（図２３のステップＳ２３２で「ＮＯ」）。
【０１３２】
上記では、トラブルを定着部１３のヒーター１６の断線としたが、これに限られず、ユーザーでは交換できない部材、例えば中間転写ベルト１２などが寿命に達した場合、感光体ドラムなどを回転駆動するモーターやジャム検出センサーなどのセンサー類などが故障した場合などとしても良い。
・ケースＣ
ユーザーの操作やコピーモードの設定に関係なく、ＭＦＰ１側の事情によりジョブが中断され、ユーザーが復帰操作を行えるが、改善しない場合。
【０１３３】
例えば、ジャムの頻発がある。ジャムの頻発は、上記のように用紙を給紙トレイ３１から繰り出すピックアップローラの表面の磨耗が進んだ場合に生じ易いが、ピックアップローラは、ＩＵ１１Ｙ〜１１Ｋなどのように駆動時間や用紙枚数などにより寿命管理されていないので、磨耗が進んで寿命に近づいていることは、ジャム頻発という形で現れる。
１回ずつのジャムについてはユーザーが解除できるが、直ぐにジャムが再発して、改善することがなく故障に近い状態といえる。
【０１３４】
このようなジャム頻発の状況でジョブが破棄された場合は、ケースＢのトラブルと同様に、これを削減すべきジョブ破棄ではないとして、累積中断コピー枚数を更新しない（図１３のステップＳ１０８で「ＮＯ」、図２３のステップＳ２３２で「ＮＯ」）。
ケースＣは、ジャムの頻発に限られず、例えばトラブルのうち、一時的に解除されても直ぐに再発するものなどに適用可能である。
【０１３５】
・ケースＤ
ジョブ実行中にユーザーがコピーモードの設定の誤りに気付いて、ストップキー５３によりジョブを中断させる場合。
この場合、中断後、ジョブを再開させればジョブにより実行された合計のコピー枚数が増えることがないが、中断後、ジョブが破棄されると、中断までにコピーされた用紙が使用されずに廃棄されて無駄になることがある。
【０１３６】
ジョブの中断は、ユーザーの意思によるものであり、ユーザー側に原因があるので、ジョブが破棄されれば累積中断コピー枚数を更新する方法をとることができるが、これを一律に適用すると、ユーザーに酷になる場合があり得る。
この場合とは、上記の図２５のモード切替判断処理において、（式１）を満たさない場合である（ステップＳ６４で「ＮＯ」）。（式１）を満たさない場合は、少なくとも前回ジョブと今回ジョブとで使用される合計のコピー枚数（Ｐ＋Ｐ２）が、前回ジョブを中断せずに実行したと仮定した場合のコピー枚数（Ｐ１）よりも増えることがないので、用紙枚数の削減を期待することができ、このような場合にも累積中断コピー枚数を更新するのは、ユーザーにとって酷になるからである。
【０１３７】
なお、図２５のモード切替判断処理では、前回ジョブと今回ジョブとでコピーモードが同じであれば（ステップＳ６３で「ＮＯ」）、累積中断コピー枚数を更新しないとしたが、これに限られない。
前回ジョブと今回ジョブとでコピーモードが同じということは、ユーザーが前回ジョブ実行中にモードの設定の誤りに気付いてストップキー５３により前回ジョブを中断させたわけではなく、別の何らかの理由、例えば用紙を厚紙にすべきところ普通紙を設定してしまった場合などが想定されるが、中断が行われたということは、前回ジョブにおいてその中断までにコピーされた用紙が廃棄されている蓋然性が高いと想定することもできる。
【０１３８】
そこで、コピーモードが同じであれば、累積中断コピー枚数を更新しない構成を止めて、（式１）を満たすか否かに関わらず更新する構成をとるようにして、ユーザーに対し警告を発する機会をより増やすようにすることもできる。
また、コピーモードが同じか否かを２―ｉｎ―１の設定の有無により判断するとしたが、これに限られない。１枚の用紙に複数ページの画像を並べて形成する節約モード、例えばＮ―ｉｎ―１（１枚の用紙の片面にＮ（２以上の整数）ページ分の画像を形成するモード）などでも良い。例えば、前回ジョブが２―ｉｎ―１、今回ジョブが４―ｉｎ―１など、前回よりも今回の方がより節約になる場合、またはこれとは逆の場合などにも（式１）を適用して、累積中断コピー枚数の更新の要否を判断することもできる。
【０１３９】
また、両面コピー機能を有していれば、１枚の用紙の表面と裏面のそれぞれに１ページ分の画像を形成することができ、片面コピーに比べてコピーに使用する用紙を節約することができることから、両面コピーを節約モードとして、片面コピージョブを中断後に破棄して、その次に両面コピージョブを実行する場合に（式１）を適用する構成をとることもできる。両面コピーとＮ―ｉｎ―１を組み合わせるとしても良い。
【０１４０】
また、両面コピーが、１枚の用紙ごとに、用紙の一方の面に画像を転写した後、定着して、その用紙をスイッチバック、循環搬送して再度、転写位置に戻し、他方の面に画像を転写した後、定着して排出する動作を行うものである場合、ジョブの中断は、用紙１枚ごとに一方の面への画像が転写されてから他方の面への画像の転写までの間にも生じ得る。
この中断により、一方の面への画像形成が終わった用紙が排出される構成であれば、排出された用紙が片面にだけコピーされたものになり、廃棄対象になり易いので、上記同様に中断原因により累積中断コピー枚数を更新し、または更新しないようにすることにより、ユーザーに酷になりすぎることなく廃棄コピーの削減を図ることに繋がる。
【０１４１】
以上、説明したように本実施の形態では、ジョブごとに、当該ジョブが中断後、破棄された場合に、その中断原因に基づいて累積中断コピー枚数を更新するか否かを決め、更新が決められた場合にだけ更新を行うとしたので、中断後、破棄されたジョブのその中断までのコピー枚数を、ユーザーに起因しない中断の場合に累積中断コピー枚数に加算しないようにすることができ、一律に加算される構成に比べて、ユーザーにとって酷になりすぎず、累積中断コピー枚数を管理することにより無駄なコピーの削減を図ることができる。
【０１４２】
本発明は、画像形成装置に限られず、累積中断コピー（プリント）枚数を管理する管理方法であるとしてもよい。また、この方法をコンピュータが実行するプログラムであるとしてもよい。また、本発明に係るプログラムは、例えば磁気テープ、フレキシブルディスク等の磁気ディスク、ＤＶＤ−ＲＯＭ、ＤＶＤ−ＲＡＭ、ＣＤ−ＲＯＭ、ＣＤ−Ｒ、ＭＯ、ＰＤなどの光記録媒体、フラッシュメモリ系記録媒体等、コンピュータ読み取り可能な各種記録媒体に記録することが可能であり、当該記録媒体の形態で生産、譲渡等がなされる場合もあるし、プログラムの形態でインターネットを含む有線、無線の各種ネットワーク、放送、電気通信回線、衛星通信等を介して伝送、供給される場合もある。
【０１４３】
（変形例）
以上、本発明を実施の形態に基づいて説明してきたが、本発明は、上述の実施の形態に限定されないのは勿論であり、以下のような変形例が考えられる。
（１）上記実施の形態では、ユーザー認証を行い、ユーザー単位で累積中断コピー枚数を管理するとしたが、これに限られない。累積中断コピー枚数を、例えばユーザーが所属する部門別に管理するとしたり、ＭＦＰ（装置）単位で管理するとしたりすることもできる。部門別で管理する場合、各ユーザーがどの部門に属するかを識別する構成をとれば良い。また、ＭＦＰ単位で管理する場合、ユーザーを識別することなく、当該ＭＦＰを利用する全ユーザーにより実行されるジョブを対象にすれば良い。
【０１４４】
例えば、部門別で管理する場合には、その部門に属するユーザーがＭＦＰを利用するときに警告メッセージを表示することができ、またＭＦＰ単位で管理する場合には、各ユーザーが当該ＭＦＰを利用するごとに警告メッセージを表示することもできる。
（２）上記実施の形態では、累積中断コピー枚数が所定値Ｍ以上の場合にユーザーに対して注意を促す旨の警告メッセージを液晶表示部５６に表示するとしたが、警告の出力がこの方法に限られることはない。例えば、メッセージ表示に代えて、注意を促す旨の記号の表示、音声出力などとすることもできる。また、その情報を、ＭＦＰ１とＬＡＮなどのネットワークを介して接続されている外部の端末装置（ユーザーや管理者が利用しているパーソナルコンピューターなど）に送信により出力するとしても良い。端末装置は、ネットワークアドレスなどから特定される。
【０１４５】
さらに、累積中断コピー枚数が所定値Ｍ以上であるか否かに関わらず、累積中断コピー枚数を示す情報を表示、音声、送信などで出力することにより、ユーザーに対して注意を促す構成をとることもできる。上記の表示、音声、送信などの少なくとも１つを出力手段として備えるとしても良い。出力先は、ＭＦＰの操作部、管理対象である各ユーザーやその管理者などが利用する端末装置などとすることができる。
【０１４６】
（３）上記実施の形態では、ジョブの破棄ごとに、その中断原因に基づいて破棄ジョブの中断までに実行されたコピー（プリント）枚数をそれまで（前回の破棄まで）の累積値に累積するか否かを決め（ステップＳ２３２、Ｓ６４）、累積を決めた場合にだけ累積値を更新する累積中断コピー枚数更新処理（ステップＳ２３３、Ｓ６５）を行うとしたが、プリント枚数を累積する場合に限られない。
【０１４７】
累積中断コピー枚数を指標する指標値であれば良く、プリント枚数に代えて、例えば中断、破棄されたジョブの数を累積カウントする対象とすることもできる。ジョブごとに中断までのプリント枚数に違いがある場合が生じるが、中断したジョブを破棄した回数が多ければ、それだけ中断までのプリント済みの用紙が廃棄されている蓋然性が高いといえるので、破棄ジョブの数を管理することも、廃棄される用紙の削減に繋がることになる。
【０１４８】
また、プリント枚数に代えて、破棄されたジョブにより実行されたプリント回数としても良い。両面コピーの場合には、シートの第１面（表面）と第２面（裏面）のそれぞれにプリントされるので、シート１枚に対して２回のプリントが行われるとして、これらを計数して管理することもできる。
（４）上記実施の形態では、本発明に係る画像形成装置をタンデム型カラー複合機に適用した場合の例を説明したが、これに限られない。カラーやモノクロの画像形成を実行可能か否かに関わらず、シートに画像を印刷（プリント）するジョブを実行する画像形成装置であり、中断したジョブを破棄する機能を有するものであれば、例えば複写機、プリンター、ファクシミリ装置等に適用できる。
【０１４９】
また、上記実施の形態及び上記変形例の内容をそれぞれ組み合わせるとしても良い。
【産業上の利用可能性】
【０１５０】
本発明は、シートに画像を印刷（プリント）するジョブを実行する画像形成装置に広く適用することができる。
【符号の説明】
【０１５１】
１      ＭＦＰ
３      画像形成部
５      操作部
１４      制御部
５３      ストップキー
１０５      ユーザー認証部
１０６      ジョブ管理テーブル
１０９      累積カウント部
１１０      更新決定部
１１１      累積カウンター
２１４      ジョブ破棄ボタン
【図１】
2013092566.tif 000003
【図２】
2013092566.tif 000004
【図３】
2013092566.tif 000005
【図４】
2013092566.tif 000006
【図５】
2013092566.tif 000007
【図６】
2013092566.tif 000008
【図７】
2013092566.tif 000009
【図８】
2013092566.tif 000010
【図９】
2013092566.tif 000011
【図１０】
2013092566.tif 000012
【図１１】
2013092566.tif 000013
【図１２】
2013092566.tif 000014
【図１３】
2013092566.tif 000015
【図１４】
2013092566.tif 000016
【図１５】
2013092566.tif 000017
【図１６】
2013092566.tif 000018
【図１７】
2013092566.tif 000019
【図１８】
2013092566.tif 000020
【図１９】
2013092566.tif 000021
【図２０】
2013092566.tif 000022
【図２１】
2013092566.tif 000023
【図２２】
2013092566.tif 000024
【図２３】
2013092566.tif 000025
【図２４】
2013092566.tif 000026
【図２５】
2013092566.tif 000027